(57)【要約】【課題】収納室を上下に区画する場合に、区画された領域の温度帯を自由に設定すること。【解決手段】上下に延在する背面板１２の前方域に収納室１１が形成されたケース本体１０と、吹出口１５と吸込口１４とを通じて収納室１１に連通する空気流路２０と収納室１１との間で空気を循環させる循環ファンＦ１とを備えたショーケースにおいて、ケース本体１０に着脱可能に設けられたリターンダクト部材３２を備え、リターンダクト部材３２は、前端部に形成されたダクト導入口３２ｂを通じて循環ファンＦ１により循環させられる空気が導入される場合に、後端部に形成されたダクト吐出口３２ｃより空気流路２０に空気を吐出することにより、自身の上方域を循環ファンＦ１により循環させられる空気により所定温度に保持させる一方、自身の下方域に循環ファンＦ１により循環させられる空気が流入することを規制するものである。【選択図】図１
2019115656.tif 000002
【特許請求の範囲】
【請求項１】
上下に延在する背面板の前方域に収納室が形成されたケース本体と、
前記収納室の前方上部に開口する吹出口と前記収納室の前方下部に開口する吸込口とを通じて該収納室に連通する態様で前記ケース本体の内部に設けられた空気流路と、前記収納室との間で空気を循環させる空気循環手段と
を備え、前記収納室に収納された商品を所望の温度に保持するショーケースにおいて、
前記ケース本体に着脱可能に設けられたリターンダクト部材を備え、
前記リターンダクト部材は、前端部に形成されたダクト導入口を通じて前記空気循環手段により循環させられる空気が導入される場合に、後端部に形成された開口より前記空気流路に前記空気を吐出することにより、自身の上方域を前記空気循環手段により循環させられる空気により所定温度に保持させる一方、自身の下方域に前記空気循環手段により循環させられる空気が流入することを規制することを特徴とするショーケース。
【請求項２】
前記空気流路に設置され、かつ前記空気循環手段により循環させられる空気を冷却する冷却手段を備えたことを特徴とする請求項１に記載のショーケース。
【請求項３】
前記リターンダクト部材よりも下方域に収納された商品を加熱する加熱手段を備えたことを特徴とする請求項１又は請求項２に記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するようにしたショーケースとして、次のようなものが知られている。
【０００３】
例えば、前面に開口を有するケース本体の収納室の内部に、複数の商品載置棚が上下に複数段設けられており、それぞれの商品載置棚に商品が載置されている。またケース本体の内部であって収納室の外部となる個所には、吸込口を通じて吸い込んだ収納室の内部の空気の通路が二つ形成されており、一方の空気流路を通過した空気は、収納室の前方上部に開口する上部吹出口より吹き出される。他方の空気流路には、通過する空気を冷却する蒸発器が配設されており、この蒸発器で冷却された空気は、収納室の中間の高さ位置に配設された中間ダクトを通じて中間吹出口より吹き出される。上部吹出口から吹き出された空気、並びに中間吹出口から吹き出された空気は、吸込口に吸い込まれる。
【０００４】
このようなショーケースでは、収納室の内部に、上部吹出口より吹き出される空気により温度が調整される域と、中間吹出口より吹き出される空気（冷気）により調整される域との二つの異なる温度帯域が形成され、それぞれの温度帯域において商品載置棚に載置された商品を所望の温度状態に調整するようにしている。より詳細に説明すると、中間吹出口より吹き出される空気により、中間ダクトより下方側領域を低温度帯域として該域にある商品載置棚に載置される商品を冷却し、該中間ダクトより上方側領域を高温度帯域として該域にある商品載置棚に載置される商品を所望の温度に調整している（例えば、特許文献１参照）。
【先行技術文献】
【特許文献】
【０００５】
【特許文献１】特開平５−１３３６７１号公報
【発明の概要】
【発明が解決しようとする課題】
【０００６】
ところで、上述した特許文献１に提案されているようなショーケースでは、中間ダクトが空気流路を通過した空気を中間吹出口より吹き出させる構成を有しており、しかも吸込口が中間吹出口及び上部吹出口から吹き出された空気を吸い込むものであるため、該中間ダクトにより収納室を上下に区画する場合、中間ダクトの下方側領域を上方側領域よりも低温度帯域として利用するしかなかった。つまり、収納室を上下に区画しても中間ダクトの上方側領域を下方側領域よりも低温度帯域として利用することができず、フレキシブルな運用ができなかった。
【０００７】
本発明は、上記実情に鑑みて、収納室を上下に区画する場合に、区画された領域の温度帯を自由に設定することができるショーケースを提供することを目的とする。
【課題を解決するための手段】
【０００８】
上記目的を達成するために、本発明に係るショーケースは、上下に延在する背面板の前方域に収納室が形成されたケース本体と、前記収納室の前方上部に開口する吹出口と前記収納室の前方下部に開口する吸込口とを通じて該収納室に連通する態様で前記ケース本体の内部に設けられた空気流路と、前記収納室との間で空気を循環させる空気循環手段とを備え、前記収納室に収納された商品を所望の温度に保持するショーケースにおいて、前記ケース本体に着脱可能に設けられたリターンダクト部材を備え、前記リターンダクト部材は、前端部に形成されたダクト導入口を通じて前記空気循環手段により循環させられる空気が導入される場合に、後端部に形成された開口より前記空気流路に前記空気を吐出することにより、自身の上方域を前記空気循環手段により循環させられる空気により所定温度に保持させる一方、自身の下方域に前記空気循環手段により循環させられる空気が流入することを規制することを特徴とする。
【０００９】
また本発明は、上記ショーケースにおいて、前記空気流路に設置され、かつ前記空気循環手段により循環させられる空気を冷却する冷却手段を備えたことを特徴とする。
【００１０】
また本発明は、上記ショーケースにおいて、前記リターンダクト部材よりも下方域に収納された商品を加熱する加熱手段を備えたことを特徴とする。
【発明の効果】
【００１１】
本発明によれば、ケース本体に着脱可能に設けられたリターンダクト部材が、前端部に形成されたダクト導入口を通じて空気循環手段により循環させられる空気が導入される場合に、後端部に形成された開口より空気流路に空気を吐出することにより、自身の上方域を空気循環手段により循環させられる空気により所定温度に保持させる一方、自身の下方域に空気循環手段により循環させられる空気が流入することを規制するので、自身の下方側領域を上方側領域よりも高温度帯域として利用することができる。従って、収納室を上下に区画する場合に、区画された領域の温度帯を自由に設定することができるという効果を奏する。
【図面の簡単な説明】
【００１２】
【図１】図１は、本発明の実施の形態１であるショーケースを正中面で切断した場合を模式的に示す断面側面図である。
【図２】図２は、本発明の実施の形態１であるショーケースの右方部分の断面側面図である。
【図３】図３は、本発明の実施の形態１であるショーケースの後方部分を後方から見た場合の断面図である。
【図４】図４は、本発明の実施の形態２であるショーケースを正中面で切断した場合を模式的に示す断面側面図である。
【図５】図５は、本発明の実施の形態３であるショーケースを正中面で切断した場合を模式的に示す断面側面図である。
【図６】図６は、本発明の実施の形態３であるショーケースの右方部分の断面側面図である。
【図７】図７は、本発明の実施の形態３であるショーケースの後方部分を後方から見た場合の断面図である。
【図８】図８は、本発明の実施の形態４であるショーケースを正中面で切断した場合を模式的に示す断面側面図である。
【図９】図９は、図８に示したショーケースの要部を拡大して示す拡大断面側面図である。
【図１０】図１０は、図８に示したショーケースの要部を拡大して示す拡大断面側面図である。
【図１１】図１１は、本発明の実施の形態５であるショーケースを正中面で切断した場合を模式的に示す断面側面図である。
【図１２】図１２は、発明の実施の形態６であるショーケースを正中面で切断した場合を示す断面側面図である。
【図１３】図１３は、発明の実施の形態６であるショーケースを正中面で切断した場合を示す断面側面図である。
【発明を実施するための形態】
【００１３】
以下に添付図面を参照して、本発明に係るショーケースの好適な実施の形態について詳細に説明する。
【００１４】
＜実施の形態１＞
図１〜図３は、それぞれ本発明の実施の形態１であるショーケースを模式的に示すものであり、図１は、ショーケースを正中面で切断した場合を示す断面側面図であり、図２は、ショーケースの右方部分の断面側面図であり、図３は、ショーケースの後方部分を後方から見た場合の断面図である。
【００１５】
ここで例示するショーケースは、例えばスーパーマーケットやコンビニエンスストア等の店舗において販売商品を収容するものであり、ケース本体１０を備えている。
【００１６】
ケース本体１０は、底面部１０Ａ、後面部１０Ｂ及び天面部１０Ｃを備え、これら底面部１０Ａ、後面部１０Ｂ及び天面部１０Ｃによって囲まれる部分に前面及び左右両側面が開口した収納室１１が構成してあるとともに、空気流路２０、循環ファン（空気循環手段）Ｆ１、蒸発器（冷却手段）ＥＶ１、中間ダクト部材３１、リターンダクト部材３２及びヒータ（加熱手段）Ｈ１が設けてある。
【００１７】
収納室１１は、後面部１０Ｂの前面となる背面板１２により背面が構成されており、複数段（図示の例では６段）の商品載置棚１３が設けてある。尚、背面板１２は、図から明らかなように、上方に向けて漸次後方に傾斜する態様で形成してある。
【００１８】
これら商品載置棚１３は、従来公知のものであり、背面板１２の左右両側域に立設された棚支柱（図示せず）に取り付けられた左右一対のブラケット１３ａに支持されるもので、これら左右一対のブラケット１３ａ間に図示せぬスライダを介して棚板１３ｂが架設されて構成してある。かかる商品載置棚１３は、棚板１３ｂの上面に商品を載置して陳列するものである。尚、スライダは、棚板１３ｂをブラケット１３ａに対して前後方向に沿ってスライド可能に支持するものである。
【００１９】
このような収納室１１の前方下部、すなわち底面部１０Ａの前方上部には吸込口１４が形成してあるとともに、収納室１１の前方上部、すなわち天面部１０Ｃの前方下部には吹出口１５が形成してある。つまり、吸込口１４は収納室１１の前方下部に開口するものであり、吹出口１５は収納室１１の前方上部に開口するものである。
【００２０】
吸込口１４は、収納室１１の内部の空気を吸い込むためのものであり、収納室１１の左右方向に沿って延設してある。吹出口１５は、収納室１１の内部に空気を吹き出すためのものであり、収納室１１の左右方向に延設してある。この吹出口１５には、例えばハニカム構造の整流部材（図示せず）が適宜取り付けられている。
【００２１】
空気流路２０は、導入流路２１、導出流路２２及び連絡流路２３を備えて構成してある。導入流路２１は、底面部１０Ａにおいて前後方向に沿って延在する態様で設けてある。この導入流路２１は、吸込口１４に連通している。導出流路２２は、天面部１０Ｃにおいて前後方向に沿って延在する態様で設けてある。この導出流路２２は、吹出口１５に連通している。
【００２２】
連絡流路２３は、後面部１０Ｂにおいて上下方向に沿って延在する態様で設けてあり、中央流路２３Ａ、左側流路２３Ｂ及び右側流路２３Ｃを備えている。中央流路２３Ａは、第１中央流路２３Ａ１及び第２中央流路２３Ａ２を有している。第１中央流路２３Ａ１は、後面部１０Ｂの左右方向の中央領域に設けてあり、上下方向に沿って延在している。この第１中央流路２３Ａ１は、下端部分が導入流路２１に連通し、上端部分が導出流路２２に連通している。第２中央流路２３Ａ２は、第１中央流路２３Ａ１の前方側において区画部材２４により該第１中央流路２３Ａ１と区画されて設けてある。この第２中央流路２３Ａ２は、所定の高さレベル、すなわち図示の例では、上から４段目の商品載置棚１３の高さレベルより下方に設けてあり、下端部分が導入流路２１に連通している。
【００２３】
左側流路２３Ｂは、中央流路２３Ａ（第１中央流路２３Ａ１及び第２中央流路２３Ａ２）の左方側において該中央流路２３Ａと区画されて設けてある。この左側流路２３Ｂは、下端部分が導入流路２１に連通し、上端部分が導出流路２２に連通している。右側流路２３Ｃは、中央流路２３Ａの右方側において該中央流路２３Ａと区画されて設けてある。この右側流路２３Ｃは、下端部分が導入流路２１に連通し、上端部分が導出流路２２に連通している。
【００２４】
循環ファンＦ１は、図示せぬ制御手段から与えられる指令により駆動して空気を循環させるものであり、導入流路２１の所定部位、すなわち第２中央流路２３Ａ２との連通部分の下方域に配設してある。
【００２５】
蒸発器ＥＶ１は、第１中央流路２３Ａ１の下端部分に設けてある。この蒸発器ＥＶ１は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器ＥＶ１は、循環ファンＦ１が駆動することにより第１中央流路２３Ａ１を下方から上方に向けて通過する空気と、膨張機構で断熱膨張させた冷媒とを熱交換させるもの、より詳細には、冷媒を蒸発させることにより第１中央流路２３Ａ１を通過する空気を冷却するものである。この蒸発器ＥＶ１で蒸発した冷媒は、再び圧縮機に戻り圧縮されることになる。
【００２６】
中間ダクト部材３１は、全体として略平板状の形態を成している。この中間ダクト部材３１は、ケース本体１０に対して着脱可能なものである。このような中間ダクト部材３１は、背面板１２に形成された第１装着孔１２ａを挿通しつつ後端部が後面部１０Ｂの後面となる後面板１６に当接して背面板１２に取り付けられることによりケース本体１０に装着される。そして、中間ダクト部材３１は、ケース本体１０に装着されることで、収納室１１と、第２中央流路２３Ａ２よりも上方側となる第１中央流路２３Ａ１とを上下に区画するものである。
【００２７】
かかる中間ダクト部材３１は、内部に前後方向に沿って延在する中間ダクト部３１ａを備え、中間吸込口３１ｂ及び中間吹出口３１ｃを有している。中間吸込口３１ｂは、後端部の下面に形成されており、背面板１２に取り付けられる場合に、第１中央流路２３Ａ１を臨むものである。中間吹出口３１ｃは、前端部の下面に形成されており、中間ダクト部３１ａを通過した空気を吹き出すための開口である。
【００２８】
尚、本実施の形態１においては、第１装着孔１２ａは、上から２段目の商品載置棚１３の下方に形成してあるが、本発明においてはこれに限定されない。すなわち、第１装着孔１２ａは、第２中央流路２３Ａ２よりも上方側となる背面板１２の任意の個所に形成することができ、単数ではなく複数形成されていてもよい。複数形成されている場合には、常態においては第１装着孔を閉成し、中間ダクト部材に押圧された場合に第１装着孔を開成させるフラッパが設けられていることが好ましい。
【００２９】
リターンダクト部材３２は、全体として略平板状の形態を成している。このリターンダクト部材３２は、ケース本体１０に対して着脱可能なものである。このようなリターンダクト部材３２は、背面板１２に形成された第２装着孔１２ｂを挿通しつつ後端部が区画部材２４に当接して背面板１２に取り付けられることによりケース本体１０に装着される。そして、リターンダクト部材３２は、ケース本体１０に装着されることで、収納室１１及び第２中央流路２３Ａ２を上下に区画するものである。
【００３０】
かかるリターンダクト部材３２は、内部に前後方向に沿って延在するリターンダクト部３２ａを備え、ダクト導入口３２ｂ及びダクト吐出口３２ｃを有している。ダクト導入口３２ｂは、前端部の上面に形成されており、収納室１１の内部の空気をリターンダクト部３２ａに導入するための開口である。ダクト吐出口３２ｃは、後端部の下面に形成されており、背面板１２に取り付けられる場合に、第２中央流路２３Ａ２を臨むものである。このダクト吐出口３２ｃは、リターンダクト部３２ａを通過した空気を第２中央流路２３Ａ２に吐出するための開口である。
【００３１】
尚、本実施の形態１においては、第２装着孔１２ｂは、上から４段目の商品載置棚１３の下方に形成してあるが、本発明においてはこれに限定されない。すなわち、第２装着孔１２ｂは、背面板１２において第２中央流路２３Ａ２に対向可能な任意の個所に形成することができ、単数ではなく複数形成されていてもよい。複数形成されている場合には、常態においては第２装着孔を閉成し、リターンダクト部材に押圧された場合に第２装着孔を開成させるフラッパが設けられていることが好ましい。
【００３２】
ヒータＨ１は、ケース本体１０に装着されたリターンダクト部材３２よりも下方域の商品載置棚１３に設けてある。すなわち、図示の例では、ヒータＨ１は、上から５段目の商品載置棚１３と、最下段の商品載置棚１３とに設けてあり、これら商品載置棚１３の棚板１３ｂの下面に設置してある。かかるヒータＨ１は、駆動する場合に通電状態となり、棚板１３ｂを加温して該棚板１３ｂに載置された商品を加熱するものである。
【００３３】
以上のような構成を有するショーケースにおいては、循環ファンＦ１、圧縮機及びヒータＨ１を駆動させることにより、収納室１１に収納された商品（各商品載置棚１３に載置された商品）を次のように所望の温度に保持することができる。
【００３４】
導入流路２１の空気は、大部分が第１中央流路２３Ａ１に流入し、残りが左側流路２３Ｂ及び右側流路２３Ｃに流入する。これら左側流路２３Ｂ及び右側流路２３Ｃに流入した空気は、左側流路２３Ｂ及び右側流路２３Ｃのそれぞれを通過し、導出流路２２を経由して吹出口１５より収納室１１に吹き出される。
【００３５】
第１中央流路２３Ａ１に流入した空気は、蒸発器ＥＶ１で冷却された後、第１中央流路２３Ａ１を通過する。このように第１中央流路２３Ａ１を通過する空気は、中間吸込口３１ｂから中間ダクト部３１ａに至り、該中間ダクト部３１ａを通過した後に中間吹出口３１ｃから収納室１１に吹き出される。このようにして中間吹出口３１ｃより吹き出された空気は、ダクト導入口３２ｂよりリターンダクト部３２ａに導入され、かかるリターンダクト部３２ａを通過した後にダクト吐出口３２ｃより第２中央流路２３Ａ２に吐出される。第２中央流路２３Ａ２に吐出された空気は、第２中央流路２３Ａ２を下方に向けて通過した後に導入流路２１に至る。
【００３６】
つまり、蒸発器ＥＶ１で冷却された空気は、その大部分が第１中央流路２３Ａ１、中間ダクト部３１ａ、収納室１１、リターンダクト部３２ａ、第２中央流路２３Ａ２、導入流路２１の順に循環する。これにより、収納室１１における中間ダクト部材３１とリターンダクト部材３２との間の領域（上から３段目の商品載置棚１３及び上から４段目の商品載置棚１３を含む領域）の空気を冷却し、これら商品載置棚１３に載置された商品を冷却することができる。またリターンダクト部材３２のダクト導入口３２ｂが中間吹出口３１ｃから吹き出された空気を導入することで、リターンダクト部材３２の下方側領域（上から５段目の商品載置棚１３及び最下段の商品載置棚１３を含む領域）に中間吹出口３１ｃから吹き出された空気（冷気）が流入することを規制する。この結果、これら商品載置棚１３に載置された商品をヒータＨ１により良好に加熱することができる。一方、中間ダクト部材３１よりも上方側領域（最上段の商品載置棚１３及び上から２段目の商品載置棚１３を含む領域）は、蒸発器ＥＶ１で冷却された空気、並びにヒータＨ１により加熱された空気が積極的に流入せず、結果的に、常温の範囲に調整される。
【００３７】
この結果、上記ショーケースにおいては、収納室１１における中間ダクト部材３１とリターンダクト部材３２との間の領域を低温度帯域とし、リターンダクト部材３２の下方側領域を高温度帯域とし、更に中間ダクト部材３１の上方側領域を中間温度帯域（低温度帯域と高温度帯域との間の温度帯域）とすることができ、各商品載置棚１３に載置された商品を所望の温度に保持することができる。
【００３８】
以上説明したように、本発明の実施の形態１であるショーケースによれば、リターンダクト部材３２がケース本体１０に装着された場合に、ダクト導入口３２ｂより循環ファンＦ１により循環させられる空気（中間ダクト部材３１の中間吹出口３１ｃから吹き出された空気）を導入してダクト吐出口３２ｃより該空気を空気流路２０に吐出させることにより、自身の上方域を循環ファンＦ１により循環させられる空気により所定温度に保持させる一方、自身の下方域に循環ファンＦ１により循環させられる空気が流入することを規制するので、自身の下方側領域を上方側領域よりも高温度帯域として利用することができる。従って、収納室１１を上下に区画する場合に、区画された領域の温度帯を自由に設定することができる。
【００３９】
上記ショーケースによれば、連絡流路２３を構成する左側流路２３Ｂ及び右側流路２３Ｃが導入流路２１の空気を導出流路２２に通過させ、吹出口１５より収納室１１に吹き出させているので、蒸発器ＥＶ１で冷却されて中間ダクト部材３１、収納室１１、リターンダクト部材３２、第２中央流路２３Ａ２を経由した空気の一部を吹出口１５から吹き出させることができ、中間ダクト部材３１の上方側領域の温度が店舗の雰囲気等により必要以上に上昇することを抑制することができる。
【００４０】
＜実施の形態２＞
図４は、本発明の実施の形態２であるショーケースを正中面で切断した場合を模式的に示す断面側面図である。ここで例示するショーケースは、例えばスーパーマーケットやコンビニエンスストア等の店舗において販売商品を収容するものであり、ケース本体４０を備えている。
【００４１】
ケース本体４０は、底面部４０Ａ、後面部４０Ｂ及び天面部４０Ｃを備え、これら底面部４０Ａ、後面部４０Ｂ及び天面部４０Ｃによって囲まれる部分に前面及び左右両側面が開口した収納室４１が構成してあるとともに、空気流路５０、循環ファン（空気循環手段）Ｆ２、蒸発器（冷却手段）ＥＶ２、中間ダクト部材６１、リターンダクト部材６２及びヒータ（加熱手段）Ｈ２が設けてある。
【００４２】
収納室４１は、後面部４０Ｂの前面となる背面板４２により背面が構成されており、複数段（図示の例では６段）の商品載置棚４３が設けてある。尚、背面板４２は、図から明らかなように、上方に向けて漸次後方に傾斜する態様で形成してある。
【００４３】
これら商品載置棚４３は、従来公知のものであり、背面板４２の左右両側域に立設された棚支柱（図示せず）に取り付けられた左右一対のブラケット４３ａに支持されるもので、これら左右一対のブラケット４３ａ間に図示せぬスライダを介して棚板４３ｂが架設されて構成してある。かかる商品載置棚４３は、棚板４３ｂの上面に商品を載置して陳列するものである。尚、スライダは、棚板４３ｂをブラケット４３ａに対して前後方向に沿ってスライド可能に支持するものである。
【００４４】
このような収納室４１の前方下部、すなわち底面部４０Ａの前方上部には吸込口４４が形成してあるとともに、収納室４１の前方上部、すなわち天面部４０Ｃの前方下部には吹出口４５が形成してある。つまり、吸込口４４は収納室４１の前方下部に開口するものであり、吹出口４５は収納室４１の前方上部に開口するものである。
【００４５】
吸込口４４は、収納室４１の内部の空気を吸い込むためのものであり、収納室４１の左右方向に沿って延設してある。吹出口４５は、収納室４１の内部に空気を吹き出すためのものであり、収納室４１の左右方向に延設してある。この吹出口４５には、例えばハニカム構造の整流部材（図示せず）が適宜取り付けられている。
【００４６】
空気流路５０は、導入流路５１、導出流路５２及び連絡流路５３を備えて構成してある。導入流路５１は、底面部４０Ａにおいて前後方向に沿って延在する態様で設けてある。この導入流路５１は、吸込口４４に連通している。導出流路５２は、天面部４０Ｃにおいて前後方向に沿って延在する態様で設けてある。この導出流路５２は、吹出口４５に連通している。
【００４７】
連絡流路５３は、後面部４０Ｂにおいて上下方向に沿って延在する態様で設けてあり、第１連絡流路５３Ａ及び第２連絡流路５３Ｂを有している。第１連絡流路５３Ａは、後面部４０Ｂにおいて上下方向に沿って延在している。この第１連絡流路５３Ａは、下端部分が導入流路５１に連通し、上端部分が導出流路５２に連通している。第２連絡流路５３Ｂは、第１連絡流路５３Ａの前方側において区画部材５４により該第１連絡流路５３Ａと区画されて設けてある。この第２連絡流路５３Ｂは、所定の高さレベル、すなわち図示の例では、上から４段目の商品載置棚４３の高さレベルより下方に設けてあり、下端部分が導入流路５１に連通している。
【００４８】
循環ファンＦ２は、図示せぬ制御手段から与えられる指令により駆動して空気を循環させるものであり、導入流路５１の所定部位、すなわち第１連絡流路５３Ａとの連通部分と、第２連絡流路５３Ｂとの連通部分との前方域に配設してある。
【００４９】
蒸発器ＥＶ２は、第２連絡流路５３Ｂの下端部分に設けてある。この蒸発器ＥＶ２は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器ＥＶ２は、循環ファンＦ２が駆動することにより第２連絡流路５３Ｂを下方から上方に向けて通過する空気と、膨張機構で断熱膨張させた冷媒とを熱交換させるもの、より詳細には、冷媒を蒸発させることにより第２連絡流路５３Ｂを通過する空気を冷却するものである。この蒸発器ＥＶ２で蒸発した冷媒は、再び圧縮機に戻り圧縮されることになる。
【００５０】
中間ダクト部材６１は、全体として略平板状の形態を成している。この中間ダクト部材６１は、ケース本体４０に対して着脱可能なものである。このような中間ダクト部材６１は、背面板４２に形成された第１装着孔４２ａを挿通しつつ後端部が区画部材５４に当接して背面板４２に取り付けられることによりケース本体４０に装着される。そして、中間ダクト部材６１は、ケース本体４０に装着されることで、収納室４１及び第２連絡流路５３Ｂを上下に区画するものである。
【００５１】
かかる中間ダクト部材６１は、内部に前後方向に沿って延在する中間ダクト部６１ａを備え、中間吸込口６１ｂ及び中間吹出口６１ｃを有している。中間吸込口６１ｂは、後端部の下面に形成されており、背面板４２に取り付けられる場合に、第２連絡流路５３Ｂを臨むものである。中間吹出口６１ｃは、前端部の下面に形成されており、中間ダクト部６１ａを通過した空気を吹き出すための開口である。
【００５２】
尚、本実施の形態２においては、第１装着孔４２ａは、上から４段目の商品載置棚４３の下方に形成してあるが、本発明においてはこれに限定されない。すなわち、第１装着孔４２ａは、背面板４２において第２連絡流路５３Ｂに対向可能な任意の個所に形成することができ、単数ではなく複数形成されていてもよい。複数形成されている場合には、常態においては第１装着孔を閉成し、リターンダクト部材に押圧された場合に第１装着孔を開成させるフラッパが設けられていることが好ましい。
【００５３】
リターンダクト部材６２は、全体として略平板状の形態を成している。このリターンダクト部材６２は、ケース本体４０に対して着脱可能なものである。このようなリターンダクト部材６２は、背面板４２に形成された第２装着孔４２ｂを挿通して背面板４２に取り付けられることによりケース本体４０に装着される。そして、リターンダクト部材６２は、ケース本体４０に装着されることで、収納室４１を上下に区画するものである。尚、リターンダクト部材６２の後端部は、後面部４０Ｂの後面となる後面板４６には当接せず、かかる後面板４６との間に間隙が形成してある。
【００５４】
かかるリターンダクト部材６２は、内部に前後方向に沿って延在するリターンダクト部６２ａを備え、ダクト導入口６２ｂ及びダクト吐出口６２ｃを有している。ダクト導入口６２ｂは、前端部の上面に形成されており、収納室４１の内部の空気をリターンダクト部６２ａに導入するための開口である。ダクト吐出口６２ｃは、後端部の下面に形成されており、背面板４２に取り付けられる場合に、第１連絡流路５３Ａを臨むものである。このダクト吐出口６２ｃは、リターンダクト部６２ａを通過した空気を第１連絡流路５３Ａに吐出するための開口である。
【００５５】
尚、本実施の形態２においては、第２装着孔４２ｂは、上から２段目の商品載置棚４３の下方に形成してあるが、本発明においてはこれに限定されない。すなわち、第２装着孔４２ｂは、第２連絡流路５３Ｂよりも上方側となる背面板４２の任意の個所に形成することができ、単数ではなく複数形成されていてもよい。複数形成されている場合には、常態においては第２装着孔を閉成し、リターンダクト部材に押圧された場合に第２装着孔を開成させるフラッパが設けられていることが好ましい。
【００５６】
ヒータＨ２は、ケース本体４０に装着されたリターンダクト部材６２よりも下方域であって中間ダクト部材６１よりも上方域の商品載置棚４３に設けてある。すなわち、図示の例では、ヒータＨ２は、上から３段目の商品載置棚４３と、上から４段目の商品載置棚４３とに設けてあり、これら商品載置棚４３の棚板４３ｂの下面に設置してある。かかるヒータＨ２は、駆動する場合に通電状態となり、棚板４３ｂを加温して該棚板４３ｂに載置された商品を加熱するものである。
【００５７】
以上のような構成を有するショーケースにおいては、循環ファンＦ２、圧縮機及びヒータＨ２を駆動させることにより、収納室４１に収納された商品（各商品載置棚４３に載置された商品）を次のように所望の温度に保持することができる。
【００５８】
導入流路５１の空気は、第１連絡流路５３Ａ及び第２連絡流路５３Ｂに流入する。第１連絡流路５３Ａに流入した空気は、第１連絡流路５３Ａを通過し、導出流路５２を経由して吹出口４５より収納室４１に吹き出される。このようにして吹出口４５より吹き出された空気は、ダクト導入口６２ｂよりリターンダクト部６２ａに導入され、かかるリターンダクト部６２ａを通過した後にダクト吐出口６２ｃより第１連絡流路５３Ａに吐出される。第１連絡流路５３Ａに吐出された空気は、第１連絡流路５３Ａを上方に向けて通過して導出流路５２を経て吹出口４５から吹き出される。
【００５９】
その一方、第２連絡流路５３Ｂに流入した空気は、蒸発器ＥＶ２で冷却された後、第２連絡流路５３Ｂを通過する。このように第２流路を通過する空気は、中間吸込口６１ｂから中間ダクト部６１ａに至り、該中間ダクト部６１ａを通過した後に中間吹出口６１ｃから収納室４１に吹き出される。そして、中間吹出口６１ｃから吹き出された空気は、吸込口４４より吸い込まれて導入流路５１に至る。
【００６０】
このように蒸発器ＥＶ２で冷却された空気は、第２連絡流路５３Ｂ、中間ダクト部６１ａ、収納室４１、導入流路５１の順に循環する。これにより、収納室４１における中間ダクト部材６１の下方側領域（上から５段目の商品載置棚４３及び最下段の商品載置棚４３を含む領域）の空気を冷却し、これら商品載置棚４３に載置された商品を冷却することができる。また吹出口４５から吹き出された空気は、リターンダクト部材６２のダクト導入口６２ｂに導入されることで、リターンダクト部６２ａ、第１連絡流路５３Ａ、導出流路５２の順に循環する。つまり、リターンダクト部材６２のダクト導入口６２ｂが吹出口４５から吹き出された空気を導入することで、リターンダクト部材６２の下方側領域（上から３段目の商品載置棚４３及び上から４段目の商品載置棚４３を含む領域）に吹出口４５から吹き出された空気が流入することを規制する。この結果、これら商品載置棚４３に載置された商品をヒータＨ２により良好に加熱することができる。一方、リターンダクト部材６２よりも上方側領域（最上段の商品載置棚４３及び上から２段目の商品載置棚４３を含む領域）は、リターンダクト部６２ａ、第１連絡流路５３Ａ、導出流路５２、収納室４１の順で循環する空気により、常温の範囲に調整される。
【００６１】
この結果、上記ショーケースにおいては、収納室４１における中間ダクト部材６１の下方側領域を低温度帯域とし、リターンダクト部材６２の下方側であって中間ダクトの上方側の領域を高温度帯域とし、更にリターンダクト部材６２の上方側領域を中間温度帯域とすることができ、各商品載置棚４３に載置された商品を所望の温度に保持することができる。
【００６２】
以上説明したように、本発明の実施の形態２であるショーケースによれば、リターンダクト部材６２がケース本体４０に装着された場合に、ダクト導入口６２ｂより循環ファンＦ２により循環させられる空気（吹出口４５から吹き出された空気）を導入してダクト吐出口６２ｃより該空気を空気流路５０に吐出させることにより、自身の上方域を循環ファンＦ２により循環させられる空気により所定温度に保持させる一方、自身の下方域に循環ファンＦ２により循環させられる空気が流入することを規制するので、下方側領域を上方側領域よりも高温度帯域として利用することができる。従って、収納室４１を上下に区画する場合に、区画された領域の温度帯を自由に設定することができる。
【００６３】
上記ショーケースによれば、第１連絡流路５３Ａが導入流路５１の空気を導出流路５２に通過させ、吹出口４５より収納室４１に吹き出させているので、蒸発器ＥＶ２で冷却されて中間吹出口６１ｃから吹き出されて吸込口４４より導入流路５１に吸い込まれた空気の一部を吹出口４５から吹き出させることができ、リターンダクト部材６２の上方側領域の温度が店舗の雰囲気等により必要以上に上昇することを抑制することができる。
【００６４】
＜実施の形態３＞
図５〜図７は、それぞれ本発明の実施の形態３であるショーケースを模式的に示すものであり、図５は、ショーケースを正中面で切断した場合を示す断面側面図であり、図６は、ショーケースの右方部分の断面側面図であり、図７は、ショーケースの後方部分を後方から見た場合の断面図である。
【００６５】
ここで例示するショーケースは、例えばスーパーマーケットやコンビニエンスストア等の店舗において販売商品を収容するものであり、ケース本体７０を備えている。
【００６６】
ケース本体７０は、底面部７０Ａ、後面部７０Ｂ及び天面部７０Ｃを備え、これら底面部７０Ａ、後面部７０Ｂ及び天面部７０Ｃによって囲まれる部分に前面及び左右両側面が開口した収納室７１が構成してあるとともに、空気流路８０、循環ファン（空気循環手段）Ｆ３、蒸発器（冷却手段）ＥＶ３、中間ダクト部材９１、リターンダクト部材９２及びヒータ（加熱手段）Ｈ３が設けてある。
【００６７】
収納室７１は、後面部７０Ｂの前面となる背面板７２により背面が構成されており、複数段（図示の例では６段）の商品載置棚７３が設けてある。尚、背面板７２は、図から明らかなように、上方に向けて漸次後方に傾斜する態様で形成してある。
【００６８】
これら商品載置棚７３は、従来公知のものであり、背面板７２の左右両側域に立設された棚支柱（図示せず）に取り付けられた左右一対のブラケット７３ａに支持されるもので、これら左右一対のブラケット７３ａ間に図示せぬスライダを介して棚板７３ｂが架設されて構成してある。かかる商品載置棚７３は、棚板７３ｂの上面に商品を載置して陳列するものである。尚、スライダは、棚板７３ｂをブラケット７３ａに対して前後方向に沿ってスライド可能に支持するものである。
【００６９】
このような収納室７１の前方下部、すなわち底面部７０Ａの前方上部には吸込口７４が形成してあるとともに、収納室７１の前方上部、すなわち天面部７０Ｃの前方下部には吹出口７５が形成してある。つまり、吸込口７４は収納室７１の前方下部に開口するものであり、吹出口７５は収納室７１の前方上部に開口するものである。
【００７０】
吸込口７４は、収納室７１の内部の空気を吸い込むためのものであり、収納室７１の左右方向に沿って延設してある。吹出口７５は、収納室７１の内部に空気を吹き出すためのものであり、収納室７１の左右方向に延設してある。この吹出口７５には、例えばハニカム構造の整流部材（図示せず）が適宜取り付けられている。
【００７１】
空気流路８０は、導入流路８１、導出流路８２及び連絡流路８３を備えて構成してある。導入流路８１は、底面部７０Ａにおいて前後方向に沿って延在する態様で設けてある。この導入流路８１は、吸込口７４に連通している。導出流路８２は、天面部７０Ｃにおいて前後方向に沿って延在する態様で設けてある。この導出流路８２は、吹出口７５に連通している。
【００７２】
連絡流路８３は、後面部７０Ｂにおいて上下方向に沿って延在する態様で設けてあり、中央流路８３Ａ、左側流路８３Ｂ及び右側流路８３Ｃを備えている。中央流路８３Ａは、第１中央流路８３Ａ１及び第２中央流路８３Ａ２を有している。第１中央流路８３Ａ１は、後面部７０Ｂの左右方向の中央領域の下方部分に設けてあり、上下方向に沿って延在している。この第１中央流路８３Ａ１は、下端部分が導入流路８１に連通している。第２中央流路８３Ａ２は、後面部７０Ｂの左右方向の中央領域の上方部分に設けてあり、上下方向に沿って延在している。この第２中央流路８３Ａ２は、上端部分が導出流路８２に連通している。尚、第１中央流路８３Ａ１と第２中央流路８３Ａ２とは、互いに区画ブロック８３Ａ３により区画されている。
【００７３】
左側流路８３Ｂは、中央流路８３Ａ（第１中央流路８３Ａ１及び第２中央流路８３Ａ２）の左方側において該中央流路８３Ａと区画されて設けてある。この左側流路８３Ｂは、下端部分が第１中央流路８３Ａ１の下端部分に連通し、上端部分が導出流路８２に連通している。右側流路８３Ｃは、中央流路８３Ａの右方側において該中央流路８３Ａと区画されて設けてある。この右側流路８３Ｃは、下端部分が第１中央流路８３Ａ１の下端部分に連通し、上端部分が導出流路８２に連通している。
【００７４】
循環ファンＦ３は、図示せぬ制御手段から与えられる指令により駆動して空気を循環させるものであり、導入流路８１の所定部位に配設してある。蒸発器ＥＶ３は、第１中央流路８３Ａ１の下端部分に設けてある。この蒸発器ＥＶ３は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器ＥＶ３は、循環ファンＦ３が駆動することにより第１中央流路８３Ａ１の下端部分を通過する空気と、膨張機構で断熱膨張させた冷媒とを熱交換させるもの、より詳細には、冷媒を蒸発させることにより第１中央流路８３Ａ１の下端部分を通過する空気を冷却するものである。この蒸発器ＥＶ３で蒸発した冷媒は、再び圧縮機に戻り圧縮されることになる。
【００７５】
中間ダクト部材９１は、全体として略平板状の形態を成している。この中間ダクト部材９１は、ケース本体７０に対して着脱可能なものである。このような中間ダクト部材９１は、背面板７２に形成された第１装着孔７２ａを挿通しつつ後端部が後面部７０Ｂの後面となる後面板７６に当接して背面板７２に取り付けられることによりケース本体７０に装着される。そして、中間ダクト部材９１は、ケース本体７０に装着されることで、収納室７１及び第１中央流路８３Ａ１を上下に区画するものである。
【００７６】
かかる中間ダクト部材９１は、内部に前後方向に沿って延在する中間ダクト部９１ａを備え、中間吸込口９１ｂ及び中間吹出口９１ｃを有している。中間吸込口９１ｂは、後端部の下面に形成されており、背面板７２に取り付けられる場合に、第１中央流路８３Ａ１を臨むものである。中間吹出口９１ｃは、前端部の下面に形成されており、中間ダクト部９１ａを通過した空気を吹き出すための開口である。
【００７７】
尚、本実施の形態３においては、第１装着孔７２ａは、上から４段目の商品載置棚７３の下方に形成してあるが、本発明においてはこれに限定されない。すなわち、第１装着孔７２ａは、背面板７２において第１中央流路８３Ａ１に対向可能な任意の個所に形成することができ、単数ではなく複数形成されていてもよい。複数形成されている場合には、常態においては第１装着孔を閉成し、中間ダクト部材に押圧された場合に第１装着孔を開成させるフラッパが設けられていることが好ましい。
【００７８】
リターンダクト部材９２は、全体として略平板状の形態を成している。このリターンダクト部材９２は、ケース本体７０に対して着脱可能なものである。このようなリターンダクト部材９２は、背面板７２に形成された第２装着孔７２ｂを挿通して背面板７２に取り付けられることによりケース本体７０に装着される。そして、リターンダクト部材９２は、ケース本体７０に装着されることで、収納室７１を上下に区画するものである。尚、リターンダクト部材９２の後端部は、後面部７０Ｂの後面となる後面板７６には当接せず、かかる後面板７６との間に間隙が形成してある。
【００７９】
かかるリターンダクト部材９２は、内部に前後方向に沿って延在するリターンダクト部９２ａを備え、ダクト導入口９２ｂ及びダクト吐出口９２ｃを有している。ダクト導入口９２ｂは、前端部の上面に形成されており、収納室７１の内部の空気をリターンダクト部９２ａに導入するための開口である。ダクト吐出口９２ｃは、後端部の下面に形成されており、背面板７２に取り付けられる場合に、第２中央流路８３Ａ２を臨むものである。このダクト吐出口９２ｃは、リターンダクト部９２ａを通過した空気を第２中央流路８３Ａ２に吐出するための開口である。
【００８０】
尚、本実施の形態３においては、第２装着孔７２ｂは、上から２段目の商品載置棚７３の下方に形成してあるが、本発明においてはこれに限定されない。すなわち、第２装着孔７２ｂは、背面板７２において第２中央流路８３Ａ２に対向可能な任意の個所に形成することができ、単数ではなく複数形成されていてもよい。複数形成されている場合には、常態においては第２装着孔を閉成し、リターンダクト部材に押圧された場合に第２装着孔を開成させるフラッパが設けられていることが好ましい。
【００８１】
ヒータＨ３は、ケース本体７０に装着されたリターンダクト部材９２よりも下方域の商品載置棚７３に設けてある。すなわち、図示の例では、ヒータＨ３は、上から３段目の商品載置棚７３と、上から４段目の商品載置棚７３とに設けてあり、これら商品載置棚７３の棚板７３ｂの下面に設置してある。かかるヒータＨ３は、駆動する場合に通電状態となり、棚板７３ｂを加温して該棚板７３ｂに載置された商品を加熱するものである。
【００８２】
以上のような構成を有するショーケースにおいては、循環ファンＦ３、圧縮機及びヒータＨ３を駆動させることにより、収納室７１に収納された商品（各商品載置棚７３に載置された商品）を次のように所望の温度に保持することができる。
【００８３】
導入流路８１の空気は、第１中央流路８３Ａ１の下端部分に流入し、蒸発器ＥＶ３に冷却される。蒸発器ＥＶ３に冷却された空気は、大部分が第１中央流路８３Ａ１を上方に向けて通過する一方、残りが左側流路８３Ｂ及び右側流路８３Ｃに流入する。これら左側流路８３Ｂ及び右側流路８３Ｃに流入した空気は、左側流路８３Ｂ及び右側流路８３Ｃのそれぞれを通過し、導出流路８２を経由して吹出口７５より収納室７１に吹き出される。
【００８４】
このようにして吹出口７５より吹き出された空気は、ダクト導入口９２ｂよりリターンダクト部９２ａに導入され、かかるリターンダクト部９２ａを通過した後にダクト吐出口９２ｃより第２中央流路８３Ａ２に吐出される。第２中央流路８３Ａ２に吐出された空気は、第２中央流路８３Ａ２を上方に向けて通過して導出流路８２を経て吹出口７５から吹き出される。
【００８５】
その一方、第１中央流路８３Ａ１を通過する空気は、中間吸込口９１ｂから中間ダクト部９１ａに至り、該中間ダクト部９１ａを通過した後に中間吹出口９１ｃから収納室７１に吹き出される。そして、中間吹出口９１ｃから吹き出された空気は、吸込口７４より吸い込まれて導入流路８１に至る。
【００８６】
このように蒸発器ＥＶ３で冷却された空気は、第１中央流路８３Ａ１、中間ダクト部９１ａ、収納室７１、導入流路８１の順に循環する。これにより、収納室７１における中間ダクト部材９１の下方側領域（上から５段目の商品載置棚７３及び最下段の商品載置棚７３を含む領域）の空気を冷却し、これら商品載置棚７３に載置された商品を冷却することができる。また吹出口７５から吹き出された空気は、リターンダクト部材９２のダクト導入口９２ｂに導入されることで、リターンダクト部９２ａ、第２中央流路８３Ａ２、導出流路８２の順に循環する。つまり、リターンダクト部材９２のダクト導入口９２ｂが吹出口７５から吹き出された空気を導入することで、リターンダクト部材９２の下方側領域（上から３段目の商品載置棚７３及び上から４段目の商品載置棚７３を含む領域）に吹出口７５から吹き出された空気が流入することを規制する。この結果、これら商品載置棚７３に載置された商品をヒータＨ３により良好に加熱することができる。一方、リターンダクト部材９２よりも上方側領域（最上段の商品載置棚７３及び上から２段目の商品載置棚７３を含む領域）は、リターンダクト部９２ａ、第２中央流路８３Ａ２、導出流路８２、収納室７１の順で循環する空気により、常温の範囲に調整される。
【００８７】
この結果、上記ショーケースにおいては、収納室７１における中間ダクト部材９１の下方側領域を低温度帯域とし、リターンダクト部材９２の下方側であって中間ダクトの上方側の領域を高温度帯域とし、更にリターンダクト部材９２の上方側領域を中間温度帯域とすることができ、各商品載置棚７３に載置された商品を所望の温度に保持することができる。
【００８８】
以上説明したように、本発明の実施の形態３であるショーケースによれば、リターンダクト部材９２がケース本体７０に装着された場合に、ダクト導入口９２ｂより循環ファンＦ３により循環させられる空気（吹出口７５から吹き出された空気）を導入してダクト吐出口９２ｃより該空気を空気流路８０に吐出させることにより、自身の上方域を循環ファンＦ３により循環させられる空気により所定温度に保持させる一方、自身の下方域に循環ファンＦ３により循環させられる空気が流入することを規制するので、下方側領域を上方側領域よりも高温度帯域として利用することができる。従って、収納室７１を上下に区画する場合に、区画された領域の温度帯を自由に設定することができる。
【００８９】
上記ショーケースによれば、連絡流路８３を構成する左側流路８３Ｂ及び右側流路８３Ｃが第１中央流路８３Ａ１の下端部分で蒸発器ＥＶ３に冷却された空気の一部を導出流路８２に通過させ、吹出口７５より収納室７１に吹き出させているので、蒸発器ＥＶ３で冷却された空気の一部を吹出口７５から吹き出させることができ、リターンダクト部材９２の上方側領域の温度が店舗の雰囲気等により必要以上に上昇することを抑制することができる。
【００９０】
＜実施の形態４＞
図８は、本発明の実施の形態４であるショーケースを正中面で切断した場合を模式的に示す断面側面図である。ここで例示するショーケースは、例えばスーパーマーケットやコンビニエンスストア等の店舗において販売商品を収容するものであり、ケース本体１００を備えている。
【００９１】
ケース本体１００は、底面部１００Ａ、後面部１００Ｂ及び天面部１００Ｃを備え、これら底面部１００Ａ、後面部１００Ｂ及び天面部１００Ｃによって囲まれる部分に前面及び左右両側面が開口した収納室１０１が構成してあるとともに、空気流路１１０、循環ファン（空気循環手段）Ｆ４、蒸発器（冷却手段）ＥＶ４、中間ダクト部材１２０及びリターンダクト部材１３０が設けてある。
【００９２】
収納室１０１は、後面部１００Ｂの前面となる背面板１０２により背面が構成されており、複数段（図示の例では５段）の商品載置棚１０３が設けてある。尚、背面板１０２は、図から明らかなように、上方に向けて漸次後方に傾斜する態様で形成してある。
【００９３】
これら商品載置棚１０３は、従来公知のものであり、背面板１０２の左右両側域に立設された棚支柱（図示せず）に取り付けられた左右一対のブラケット１０３ａに支持されるもので、これら左右一対のブラケット１０３ａ間に図示せぬスライダを介して棚板１０３ｂが架設されて構成してある。かかる商品載置棚１０３は、棚板１０３ｂの上面に商品を載置して陳列するものである。尚、スライダは、棚板１０３ｂをブラケット１０３ａに対して前後方向に沿ってスライド可能に支持するものである。
【００９４】
このような収納室１０１の前方下部、すなわち底面部１００Ａの前方上部には吸込口１０４が形成してあるとともに、収納室１０１の前方上部、すなわち天面部１００Ｃの前方下部には吹出口１０５が形成してある。つまり、吸込口１０４は収納室１０１の前方下部に開口するものであり、吹出口１０５は収納室１０１の前方上部に開口するものである。
【００９５】
吸込口１０４は、収納室１０１の内部の空気を吸い込むためのものであり、収納室１０１の左右方向に沿って延設してある。この吸込口１０４は、吸込口シャッタ１０４ａにより開閉されるものである。
【００９６】
吹出口１０５は、収納室１０１の内部に空気を吹き出すためのものであり、収納室１０１の左右方向に延設してある。この吹出口１０５には、例えばハニカム構造の整流部材（図示せず）が適宜取り付けられている。
【００９７】
空気流路１１０は、導入流路１１１、導出流路１１２及び連絡流路１１３を備えて構成してある。導入流路１１１は、底面部１００Ａにおいて前後方向に沿って延在する態様で設けてある。この導入流路１１１は、吸込口１０４に連通している。導出流路１１２は、天面部１００Ｃにおいて前後方向に沿って延在する態様で設けてある。この導出流路１１２は、吹出口１０５に連通している。
【００９８】
連絡流路１１３は、後面部１００Ｂにおいて上下方向に沿って延在する態様で設けてあり、第１連絡流路１１３Ａ及び第２連絡流路１１３Ｂを有している。第１連絡流路１１３Ａは、後面部１００Ｂにおいて上下方向に沿って延在している。この第１連絡流路１１３Ａは、下端部分が導入流路１１１に連通し、上端部分が導出流路１１２に連通している。第２連絡流路１１３Ｂは、第１連絡流路１１３Ａの前方側において区画部材１１４により該第１連絡流路１１３Ａと区画されて設けてある。この第２連絡流路１１３Ｂは、所定の高さレベル、すなわち図示の例では、上から３段目の商品載置棚１０３の高さレベルより下方に設けてあり、下端部分が導入流路１１１に連通している。
【００９９】
循環ファンＦ４は、図示せぬ制御手段から与えられる指令により駆動して空気を循環させるものであり、導入流路１１１の所定部位、すなわち第１連絡流路１１３Ａとの連通部分と、第２連絡流路１１３Ｂとの連通部分との前方域に配設してある。
【０１００】
蒸発器ＥＶ４は、第２連絡流路１１３Ｂの下端部分に設けてある。この蒸発器ＥＶ４は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器ＥＶ４は、循環ファンＦ４が駆動することにより第２連絡流路１１３Ｂを下方から上方に向けて通過する空気と、膨張機構で断熱膨張させた冷媒とを熱交換させるもの、より詳細には、冷媒を蒸発させることにより第２連絡流路１１３Ｂを通過する空気を冷却するものである。この蒸発器ＥＶ４で蒸発した冷媒は、再び圧縮機に戻り圧縮されることになる。
【０１０１】
中間ダクト部材１２０は、全体として略平板状の形態を成している。この中間ダクト部材１２０は、ケース本体１００に対して着脱可能なものである。このような中間ダクト部材１２０は、背面板１０２に形成された装着孔１０２ａを挿通しつつ後端部が区画部材１１４に当接して背面板１０２に取り付けられることによりケース本体１００に装着される。そして、中間ダクト部材１２０は、ケース本体１００に装着されることで、収納室１０１及び第２連絡流路１１３Ｂを上下に区画するものである。
【０１０２】
かかる中間ダクト部材１２０は、内部に前後方向に沿って延在する中間ダクト部１２１を備え、中間吸込口１２２及び中間吹出口１２３を有している。中間吸込口１２２は、後端部の下面に形成されており、背面板１０２に取り付けられる場合に、第２連絡流路１１３Ｂを臨むものである。中間吹出口１２３は、前端部の下面に形成されており、中間ダクト部１２１を通過した空気を吹き出すための開口である。
【０１０３】
尚、本実施の形態４においては、装着孔１０２ａは、上から４段目の商品載置棚１０３の下方に形成してあるが、本発明においてはこれに限定されない。すなわち、装着孔１０２ａは、背面板１０２において第２連絡流路１１３Ｂに対向可能な任意の個所に形成することができ、単数ではなく複数形成されていてもよい。複数形成されている場合には、常態においては装着孔を閉成し、中間ダクト部材に押圧された場合に装着孔を開成させるフラッパが設けられていることが好ましい。
【０１０４】
リターンダクト部材１３０は、ケース本体１００に対して着脱可能なものであり、収納室１０１の底面に載置されることによりケース本体１００に装着される。かかるリターンダクト部材１３０は、図９にも示すように、収納部１３１及びリターンダクト本体部１３２を備えている。
【０１０５】
収納部１３１は、前面に開口が形成された箱状のものであり、断熱材により構成してある。この収納部１３１は、内部に商品を載置して陳列するものである。かかる収納部１３１には、必要に応じてヒータ（図示せず）が設けてある。ヒータは、駆動する場合に通電状態となり、収納部１３１に載置された商品を加熱するものである。
【０１０６】
リターンダクト本体部１３２は、収納部１３１の上面、後面及び下面を覆う態様で形成してある。このリターンダクト本体部１３２は、第１リターンダクト部１３２ａ、第２リターンダクト部１３２ｂ、第３リターンダクト部１３２ｃ、第４リターンダクト部１３２ｄ及びシャッタ部１３３を有している。
【０１０７】
第１リターンダクト部１３２ａは、収納部１３１の上方となるリターンダクト本体部１３２の上方部分において、前後方向に沿って延在している。この第１リターンダクト部１３２ａは、リターンダクト本体部１３２の前端側上部に形成された第１ダクト導入口１３４ａに連通している。第１ダクト導入口１３４ａは、収納室１０１の内部の空気を第１リターンダクト部１３２ａに導入するための開口である。
【０１０８】
第２リターンダクト部１３２ｂは、収納部１３１の後方となるリターンダクト本体部１３２の後方部分において、上下方向に沿って延在している。この第２リターンダクト部１３２ｂは、上端部分が第１リターンダクト部１３２ａの後端部分に連通している。また第２リターンダクト部１３２ｂは、リターンダクト本体部１３２の後端上部に形成された第２ダクト導入口１３４ｂに連通している。この第２ダクト導入口１３４ｂは、背面板１０２に形成された第１流入口１０２ｂに連続している。かかる第１流入口１０２ｂは、第１流入口シャッタ１０２ｃにより開閉されるものであり、常態においては、第１流入口シャッタ１０２ｃにより閉塞されている。
【０１０９】
第３リターンダクト部１３２ｃは、収納部１３１の下方となるリターンダクト本体部１３２の下方部分において、前後方向に沿って延在している。この第３リターンダクト部１３２ｃは、後端部分が第２リターンダクト部１３２ｂの下端部分に連通している。また第３リターンダクト部１３２ｃは、リターンダクト本体部１３２の下端部に形成されたダクト吐出口１３４ｃに連通している。このダクト吐出口１３４ｃは、ケース本体１００における底面部１００Ａの上面となる底面板１０７に形成された第２流入口１０７ａに連続している。
【０１１０】
第４リターンダクト部１３２ｄは、リターンダクト本体部１３２の上方部分において、前後方向に沿って延在している。この第４リターンダクト部１３２ｄは、後端部分が連絡口１３４ｄを介して第２リターンダクト部１３２ｂに連通している。また第４リターンダクト部１３２ｄは、前端部分がダクト吹出口１３４ｅに連通している。
【０１１１】
シャッタ部１３３は、連絡口１３４ｄ及び第２リターンダクト部１３２ｂを択一的に開閉するものである。より詳細に説明すると、シャッタ部１３３は、連絡口１３４ｄを閉塞する場合には、第２リターンダクト部１３２ｂを開放する一方、連絡口１３４ｄを開放する場合には、第２リターンダクト部１３２ｂを閉塞するものである。このシャッタ部１３３の開閉動作は、第１流入口シャッタ１０２ｃと連動して行われてもよいし、該第１流入口シャッタ１０２ｃとは独立して行われてもよい。
【０１１２】
以上のような構成を有するショーケースにおいては、図９に示すように、吸込口１０４が吸込口シャッタ１０４ａにより閉塞され、第１流入口１０２ｂが第１流入口シャッタ１０２ｃに閉塞され、更にシャッタ部１３３が連絡口１３４ｄを閉塞した状態にて、循環ファンＦ４、圧縮機及びヒータを駆動させることにより、収納室１０１に収納された商品を次のように所望の温度に保持することができる。
【０１１３】
導入流路１１１の空気は、第１連絡流路１１３Ａ及び第２連絡流路１１３Ｂに流入する。第１連絡流路１１３Ａに流入した空気は、第１連絡流路１１３Ａを通過し、導出流路１１２を経由して吹出口１０５より収納室１０１に吹き出される。
【０１１４】
第２連絡流路１１３Ｂに流入した空気は、蒸発器ＥＶ４で冷却された後、第２連絡流路１１３Ｂを通過する。このように第２流路を通過する空気は、中間吸込口１２２から中間ダクト部１２１に至り、該中間ダクト部１２１を通過した後に中間吹出口１２３から収納室１０１に吹き出される。
【０１１５】
このようにして中間吹出口１２３より吹き出された空気は、第１ダクト導入口１３４ａより第１リターンダクト部１３２ａに導入され、第２リターンダクト部１３２ｂ、第３リターンダクト部１３２ｃを通過してダクト吐出口１３４ｃを通じて吐出され、第２流入口１０７ａより導入流路１１１に流入する。
【０１１６】
このように蒸発器ＥＶ４で冷却された空気は、第２連絡流路１１３Ｂ、中間ダクト部１２１、収納室１０１、第１リターンダクト部１３２ａ、第２リターンダクト部１３２ｂ、第３リターンダクト部１３２ｃ、導入流路１１１の順に循環する。これにより、収納室１０１における中間ダクト部材１２０とリターンダクト部材１３０との間の領域の空気を冷却し、最下段の商品載置棚１０３に載置された商品を冷却することができる。またリターンダクト部材１３０の第１ダクト導入口１３４ａが中間吹出口１２３から吹き出された空気を導入することで、収納部１３１に中間吹出口１２３から吹き出された空気（冷気）が流入することを規制する。この結果、収納部１３１に載置された商品をヒータにより良好に加熱することができる。一方、中間ダクト部材１２０よりも上方側領域は、蒸発器ＥＶ４で冷却された空気、並びにヒータにより加熱された空気が積極的に流入せず、結果的に、常温の範囲に調整される。
【０１１７】
この結果、上記ショーケースにおいては、収納室１０１における中間ダクト部材１２０とリターンダクト部材１３０との間の領域を低温度帯域とし、リターンダクト部材１３０の収納部１３１を高温度帯域とし、更に中間ダクト部材１２０の上方側領域を中間温度帯域とすることができ、各商品載置棚１０３に載置された商品を所望の温度に保持することができる。
【０１１８】
このように上記ショーケースによれば、吸込口１０４及び第１流入口１０２ｂが閉塞され、シャッタ部１３３が連絡口１３４ｄを閉塞した状態にてリターンダクト部材１３０がケース本体１００に装着された場合に、第１ダクト導入口１３４ａより循環ファンＦ４により循環させられる空気を導入してダクト吐出口１３４ｃより該空気を空気流路１１０に吐出させることにより、自身の上方域を循環ファンＦ４により循環させられる空気により所定温度に保持させる一方、自身の下方域に循環ファンＦ４により循環させられる空気が流入することを規制するので、下方側領域を上方側領域よりも高温度帯域として利用することができる。従って、収納室１０１を上下に区画する場合に、区画された領域の温度帯を自由に設定することができる。
【０１１９】
次に、図１０に示すように、吸込口１０４及び第１流入口１０２ｂが開放され、シャッタ部１３３が連絡口１３４ｄを開放して第２リターンダクト部１３２ｂを閉塞した状態にて、循環ファンＦ４及び圧縮機を駆動させることにより、収納室１０１に収納された商品を次のように所望の温度に保持することができる。
【０１２０】
導入流路１１１の空気は、第１連絡流路１１３Ａ及び第２連絡流路１１３Ｂに流入する。第１連絡流路１１３Ａに流入した空気は、第１連絡流路１１３Ａを通過し、導出流路１１２を経由して吹出口１０５より収納室１０１に吹き出される。
【０１２１】
第２連絡流路１１３Ｂに流入した空気は、蒸発器ＥＶ４で冷却された後、第２連絡流路１１３Ｂを通過する。このように第２流路を通過する空気は、一部が中間吸込口１２２から中間ダクト部１２１に至り、該中間ダクト部１２１を通過した後に中間吹出口１２３から収納室１０１に吹き出される。そして、中間吹出口１２３から吹き出された空気は、吸込口１０４より吸い込まれて導入流路１１１に至る。
【０１２２】
第２流路を通過する空気は、残りが第１流入口１０２ｂ及び第２ダクト導入口１３４ｂからリターンダクト部材１３０に導入し、連絡口１３４ｄを通じて第４リターンダクト部１３２ｄを通過し、ダクト吹出口１３４ｅより収納室１０１に吹き出される。そして、ダクト吹出口１３４ｅから吹き出された空気は、吸込口１０４より吸い込まれて導入流路１１１に至る。
【０１２３】
このように蒸発器ＥＶ４で冷却された空気は、一部が第２連絡流路１１３Ｂ、中間ダクト部１２１、収納室１０１、導入流路１１１の順に循環するとともに、残りが第２連絡流路１１３Ｂ、リターンダクト部材１３０、収納室１０１、導入流路１１１の順に循環する。これにより、収納室１０１における中間ダクト部材１２０の下方側領域の空気を冷却し、最下段の商品載置棚１０３に載置された商品だけでなく、ヒータを非通電状態にしておくことにより収納部１３１に載置された商品も冷却することができる。
【０１２４】
＜実施の形態５＞
図１１は、本発明の実施の形態５であるショーケースを正中面で切断した場合を模式的に示す断面側面図である。ここで例示するショーケースは、例えばスーパーマーケットやコンビニエンスストア等の店舗において販売商品を収容するものであり、ケース本体１４０を備えている。
【０１２５】
ケース本体１４０は、底面部１４０Ａ、後面部１４０Ｂ及び天面部１４０Ｃを備え、これら底面部１４０Ａ、後面部１４０Ｂ及び天面部１４０Ｃによって囲まれる部分に前面及び左右両側面が開口した収納室１４１が構成してあるとともに、空気流路１５０、循環ファン（空気循環手段）Ｆ５、補助ファンＦ６、蒸発器（冷却手段）ＥＶ５、中間ダクト部材１６０及びリターンダクト部材１７０が設けてある。
【０１２６】
収納室１４１は、後面部１４０Ｂの前面となる背面板１４２により背面が構成されており、複数段（図示の例では４段）の商品載置棚１４３が設けてある。尚、背面板１４２は、図から明らかなように、上方に向けて漸次後方に傾斜する態様で形成してある。
【０１２７】
これら商品載置棚１４３は、従来公知のものであり、背面板１４２の左右両側域に立設された棚支柱（図示せず）に取り付けられた左右一対のブラケット１４３ａに支持されるもので、これら左右一対のブラケット１４３ａ間に図示せぬスライダを介して棚板１４３ｂが架設されて構成してある。かかる商品載置棚１４３は、棚板１４３ｂの上面に商品を載置して陳列するものである。尚、スライダは、棚板１４３ｂをブラケット１４３ａに対して前後方向に沿ってスライド可能に支持するものである。
【０１２８】
このような収納室１４１の前方下部、すなわち底面部１４０Ａの前方上部には吸込口１４４が形成してあるとともに、収納室１４１の前方上部、すなわち天面部１４０Ｃの前方下部には吹出口１４５が形成してある。つまり、吸込口１４４は収納室１４１の前方下部に開口するものであり、吹出口１４５は収納室１４１の前方上部に開口するものである。
【０１２９】
吸込口１４４は、収納室１４１の内部の空気を吸い込むためのものであり、収納室１４１の左右方向に沿って延設してある。吹出口１４５は、収納室１４１の内部に空気を吹き出すためのものであり、収納室１４１の左右方向に延設してある。この吹出口１４５には、例えばハニカム構造の整流部材（図示せず）が適宜取り付けられている。
【０１３０】
空気流路１５０は、導入流路１５１、導出流路１５２及び連絡流路１５３を備えて構成してある。導入流路１５１は、底面部１４０Ａにおいて前後方向に沿って延在する態様で設けてある。この導入流路１５１は、吸込口１４４に連通している。導出流路１５２は、天面部１４０Ｃにおいて前後方向に沿って延在する態様で設けてある。この導出流路１５２は、吹出口１４５に連通している。
【０１３１】
連絡流路１５３は、後面部１４０Ｂにおいて上下方向に沿って延在する態様で設けてあり、第１連絡流路１５３Ａ及び第２連絡流路１５３Ｂを有している。第１連絡流路１５３Ａは、後面部１４０Ｂにおいて上下方向に沿って延在している。この第１連絡流路１５３Ａは、下端部分が導入流路１５１に連通し、上端部分が導出流路１５２に連通している。第２連絡流路１５３Ｂは、第１連絡流路１５３Ａの前方側において区画部材１５４により該第１連絡流路１５３Ａと区画されて設けてある。この第２連絡流路１５３Ｂは、所定の高さレベル、すなわち図示の例では、上から３段目の商品載置棚１４３の高さレベルより下方に設けてあり、下端部分が導入流路１５１に連通しているとともに、上端部分が第１連絡流路１５３Ａに連通している。
【０１３２】
循環ファンＦ５は、図示せぬ制御手段から与えられる指令により駆動して空気を循環させるものであり、導入流路１５１の所定部位、すなわち第１連絡流路１５３Ａとの連通部分と、第２連絡流路１５３Ｂとの連通部分との前方域に配設してある。
【０１３３】
補助ファンＦ６は、制御手段から与えられる指令により駆動するものであり、第２連絡流路１５３Ｂの上端部分に配設してある。
【０１３４】
蒸発器ＥＶ５は、第２連絡流路１５３Ｂの下端部分に設けてある。この蒸発器ＥＶ５は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器ＥＶ５は、循環ファンＦ５が駆動することにより第２連絡流路１５３Ｂを下方から上方に向けて通過する空気と、膨張機構で断熱膨張させた冷媒とを熱交換させるもの、より詳細には、冷媒を蒸発させることにより第２連絡流路１５３Ｂを通過する空気を冷却するものである。この蒸発器ＥＶ５で蒸発した冷媒は、再び圧縮機に戻り圧縮されることになる。
【０１３５】
中間ダクト部材１６０は、全体として略平板状の形態を成している。この中間ダクト部材１６０は、ケース本体１４０に対して着脱可能なものである。このような中間ダクト部材１６０は、背面板１４２に形成された装着孔１４２ａを挿通しつつ後端部が区画部材１５４に当接して背面板１４２に取り付けられることによりケース本体１４０に装着される。そして、中間ダクト部材１６０は、ケース本体１４０に装着されることで、収納室１４１及び第２連絡流路１５３Ｂを上下に区画するものである。
【０１３６】
かかる中間ダクト部材１６０は、内部に前後方向に沿って延在する中間ダクト部１６１を備え、中間吸込口１６２及び中間吹出口１６３を有している。中間吸込口１６２は、後端部の下面に形成されており、背面板１４２に取り付けられる場合に、第２連絡流路１５３Ｂを臨むものである。中間吹出口１６３は、前端部の下面に形成されており、中間ダクト部１６１を通過した空気を吹き出すための開口である。
【０１３７】
リターンダクト部材１７０は、ケース本体１４０に対して着脱可能なものであり、中間ダクト部材１６０に載置されることによりケース本体１４０に装着される。かかるリターンダクト部材１７０は、収納部１７１及びリターンダクト本体部１７２を備えている。
【０１３８】
収納部１７１は、前面に開口が形成された箱状のものであり、断熱材により構成してある。この収納部１７１は、内部に商品を載置して陳列するものである。かかる収納部１７１には、必要に応じてヒータ（図示せず）が設けてある。ヒータは、駆動する場合に通電状態となり、収納部１７１に載置された商品を加熱するものである。
【０１３９】
リターンダクト本体部１７２は、収納部１７１の上面を覆う態様で形成してある。このリターンダクト本体部１７２は、内部に前後方向に沿って延在するリターンダクト部１７２ａを備え、ダクト導入口１７２ｂ及びダクト吐出口１７２ｃを有している。ダクト導入口１７２ｂは、前端部の上面に形成されており、収納室１４１の内部の空気をリターンダクト部１７２ａに導入するための開口である。ダクト吐出口１７２ｃは、後端部に形成されており、背面板１４２に形成された流入口１４２ｂに連続している。
【０１４０】
以上のような構成を有するショーケースにおいては、循環ファンＦ５、補助ファンＦ６、圧縮機及びヒータを駆動させることにより、収納室１４１に収納された商品を次のように所望の温度に保持することができる。
【０１４１】
導入流路１５１の空気は、第１連絡流路１５３Ａ及び第２連絡流路１５３Ｂに流入する。第１連絡流路１５３Ａに流入した空気は、第１連絡流路１５３Ａを通過し、導出流路１５２を経由して吹出口１４５より収納室１４１に吹き出される。このようにして吹出口１４５より吹き出された空気は、ダクト導入口１７２ｂよりリターンダクト部１７２ａに導入され、かかるリターンダクト部１７２ａを通過した後にダクト吐出口１７２ｃより第２連絡流路１５３Ｂに吐出される。第２連絡流路１５３Ｂに吐出された空気は、補助ファンＦ６により、第２連絡流路１５３Ｂを上方に向けて通過して第１連絡流路１５３Ａに流入し、導出流路１５２を経て吹出口１４５から吹き出される。
【０１４２】
その一方、第２連絡流路１５３Ｂに流入した空気は、蒸発器ＥＶ５で冷却された後、第２連絡流路１５３Ｂを通過する。このように第２流路を通過する空気は、中間吸込口１６２から中間ダクト部１６１に至り、該中間ダクト部１６１を通過した後に中間吹出口１６３から収納室１４１に吹き出される。そして、中間吹出口１６３から吹き出された空気は、吸込口１４４より吸い込まれて導入流路１５１に至る。
【０１４３】
このように蒸発器ＥＶ５で冷却された空気は、第２連絡流路１５３Ｂ、中間ダクト部１６１、収納室１４１、導入流路１５１の順に循環する。これにより、収納室１４１における中間ダクト部材１６０の下方側領域の空気を冷却し、最下段の商品載置棚１４３に載置された商品を冷却することができる。また吹出口１４５から吹き出された空気は、リターンダクト部材１７０のダクト導入口１７２ｂに導入されることで、リターンダクト部１７２ａ、第２連絡流路１５３Ｂ、第１連絡流路１５３Ａ、導出流路１５２の順に循環する。つまり、リターンダクト部材１７０のダクト導入口１７２ｂが吹出口１４５から吹き出された空気を導入することで、リターンダクト部材１７０の下方側領域に吹出口１４５から吹き出された空気が流入することを規制する。この結果、収納部１７１に載置された商品をヒータにより良好に加熱することができる。一方、リターンダクト部材１７０よりも上方側領域は、リターンダクト部１７２ａ、第１連絡流路１５３Ａ、導出流路１５２、収納室１４１の順で循環する空気により、常温の範囲に調整される。
【０１４４】
この結果、上記ショーケースにおいては、収納室１４１における中間ダクト部材１６０の下方側領域を低温度帯域とし、収納部１７１を高温度帯域とし、更にリターンダクト部材１７０の上方側領域を中間温度帯域とすることができ、各商品載置棚１４３に載置された商品を所望の温度に保持することができる。
【０１４５】
このように上記ショーケースによれば、リターンダクト部材１７０がケース本体１４０に装着された場合に、ダクト導入口１７２ｂより循環ファンＦ５により循環させられる空気（吹出口１４５から吹き出された空気）を導入してダクト吐出口１７２ｃより該空気を空気流路１５０に吐出させることにより、自身の上方域を循環ファンＦ５により循環させられる空気により所定温度に保持させる一方、自身の下方域に循環ファンＦ５により循環させられる空気が流入することを規制するので、下方側領域を上方側領域よりも高温度帯域として利用することができる。従って、収納室１４１を上下に区画する場合に、区画された領域の温度帯を自由に設定することができる。
【０１４６】
そして、循環ファンＦ５及び圧縮機を駆動させながら補助ファンＦ６及びヒータの駆動を停止させた場合には、吹出口１４５から吹き出された空気は、ダクト導入口１７２ｂに導入されずに、リターンダクト部材１７０の下方域に向けて流れる。この場合には、収納部１７１に載置された商品を常温の範囲に保持することができる。
【０１４７】
＜実施の形態６＞
図１２及び図１３は、それぞれ本発明の実施の形態６であるショーケースを模式的に示すものであり、ともにショーケースを正中面で切断した場合を示す断面側面図である。
【０１４８】
尚、上述した実施の形態１であるショーケースと同一の構成要素については同一の符号を付してその説明を適宜省略する。また実施の形態１のショーケースを構成した中間ダクト部材３１は設けられておらず、第１装着孔１２ａも閉塞されており、図示を省略している。
【０１４９】
かかるショーケースにおいては、収納室１１の底面を構成するデッキ１７は、前後方向に沿ってスライド可能なものである。このデッキ１７は、後方に向けてスライドした場合には、吸込口１４を開放させつつ第２中央流路２３Ａ２を閉塞する一方、前方に向けてスライドした場合には、吸込口を１４を閉塞しつつ第２中央流路２３Ａ２を開放するものである。
【０１５０】
そして、上記ショーケースにおいてはリターンダクト部材３３が設けてある。リターンダクト部材３３は、全体として略平板状の形態を成している。このリターンダクト部材３３は、ケース本体１０に対して着脱可能なものである。
【０１５１】
このようなリターンダクト部材３３は、背面板１２に形成された第２装着孔１２ｂと区画部材２４に形成された第３装着孔２４ａとを挿通することによりケース本体１０に装着されており、収納室１１を上下に区画する固定部３３ａと、該固定部３３ａに対して前後方向に移動可能な可動部３３ｂとを有している。
【０１５２】
固定部３３ａは、内部に前後方向に沿って延在するリターンダクト部３３１を備え、前端部分にシャッタ機構３３２を備えている。シャッタ機構３３２は、上下方向に沿って湾曲状に移動可能なものである。このシャッタ機構３３２は、上方に向けて移動した場合には、固定部３３ａの前端部の上面に形成されたダクト導入口３３３を閉成させつつ該前端部の下面に形成されたダクト吐出口３３４を開成させる一方、下方に向けて移動した場合には、ダクト導入口３３３を開成させつつダクト吐出口３３４を閉成させるものである。
【０１５３】
可動部３３ｂは、固定部３３ａに対して後方に突出する態様で第２装着孔１２ｂ及び第３装着孔２４ａを挿通して設けられており、第２中央流路２３Ａ２を上下に区画するものである。この可動部３３ｂには、後端部の下面にダクト流通口３３５が設けてある。
【０１５４】
このような可動部３３ｂは、最も後方に移動する場合には、後端面が後面板１６に当接して、第１中央流路２３Ａ１を区画し、ダクト流通口３３５が該第１中央流路２３Ａ１を臨んでいる。その一方、可動部３３ｂは、最も前方に移動する場合には、後端部が第３装着孔２４ａを閉塞しつつ、ダクト流通口３３５が該第２中央流路２３Ａ２を臨んでいる。
【０１５５】
以上のような構成を有するショーケースにおいては、循環ファンＦ１及び圧縮機を駆動させることにより、収納室１１に収納された商品（各商品載置棚１３に載置された商品）を次のように所望の温度に保持することができる。
【０１５６】
まず、デッキ１７が後方にスライドして、吸込口１４を開放させつつ第２中央流路２３Ａ２を閉塞し、かつ可動部３３ｂが最も後方に移動して、第１中央流路２３Ａ１を区画しつつダクト流通口３３５が該第１中央流路２３Ａ１を臨んでおり、更にシャッタ機構３３２が上方に向けて移動して、ダクト導入口３３３を閉成させつつダクト吐出口３３４を開成させた場合について説明する。
【０１５７】
このような場合、導入流路２１の空気は、大部分が第１中央流路２３Ａ１に流入し、残りが左側流路２３Ｂ及び右側流路２３Ｃに流入する。これら左側流路２３Ｂ及び右側流路２３Ｃに流入した空気は、左側流路２３Ｂ及び右側流路２３Ｃのそれぞれを通過し、導出流路２２を経由して吹出口１５より収納室１１に吹き出される。
【０１５８】
第１中央流路２３Ａ１に流入した空気は、図１２に示したように、蒸発器ＥＶ１で冷却された後、第１中央流路２３Ａ１を通過する。このように第１中央流路２３Ａ１を通過する空気は、ダクト流通口３３５よりリターンダクト部３３１に導入され、かかるリターンダクト部３３１を通過した後にダクト吐出口３３４より吐出される。ダクト吐出口３３４より吐出された空気は、リターンダクト部材３３の下方の商品載置棚１３の前方域を通過して、吸込口１４より吸い込まれて導入流路２１に至る。
【０１５９】
つまり、蒸発器ＥＶ１で冷却された空気は、その大部分が第１中央流路２３Ａ１、リターンダクト部３３１、収納室１１、導入流路２１の順に循環する。これにより、収納室１１におけるリターンダクト部材３３の下方側領域（上から５段目の商品載置棚１３及び最下段の商品載置棚１３を含む領域）に空気（冷気）が流入して、これら商品載置棚１３に載置された商品を良好に冷却することができる。
【０１６０】
次に、デッキ１７が前方にスライドして、吸込口１４を閉塞させつつ第２中央流路２３Ａ２を開放し、かつ可動部３３ｂが最も前方に移動して、第３装着孔２４ａを閉塞しつつダクト流通口３３５が第２中央流路２３Ａ２を臨んでおり、更にシャッタ機構３３２が下方に向けて移動して、ダクト導入口３３３を開成させつつダクト吐出口３３４を閉成させた場合について説明する。
【０１６１】
このような場合、導入流路２１の空気は、大部分が第１中央流路２３Ａ１に流入し、残りが左側流路２３Ｂ及び右側流路２３Ｃに流入する。これら左側流路２３Ｂ及び右側流路２３Ｃに流入した空気は、左側流路２３Ｂ及び右側流路２３Ｃのそれぞれを通過し、導出流路２２を経由して吹出口１５より収納室１１に吹き出される。
【０１６２】
第１中央流路２３Ａ１に流入した空気は、図１３に示したように、蒸発器ＥＶ１で冷却された後、第１中央流路２３Ａ１を通過する。このように第１中央流路２３Ａ１を通過する空気は、導出流路２２を経由して吹出口１５より収納室１１に吹き出される。
【０１６３】
このようにして吹出口１５より吹き出された空気は、ダクト導入口３３３よりリターンダクト部３３１に導入され、かかるリターンダクト部３３１を通過した後にダクト流通口３３５より第２中央流路２３Ａ２に吐出される。第２中央流路２３Ａ２に吐出された空気は、第２中央流路２３Ａ２を下方に向けて通過した後に導入流路２１に至る。
【０１６４】
つまり、蒸発器ＥＶ１で冷却された空気は、その大部分が第１中央流路２３Ａ１、収納室１１、リターンダクト部３３１、第２中央流路２３Ａ２、導入流路２１の順に循環する。これにより、収納室１１におけるリターンダクト部材３３の上方側領域の空気を冷却し、これら商品載置棚１３に載置された商品を冷却することができる。またリターンダクト部材３３のダクト導入口３３３が吹出口１５から吹き出された空気を導入することで、リターンダクト部材３３の下方側領域（上から５段目の商品載置棚１３及び最下段の商品載置棚１３を含む領域）に吹出口１５から吹き出された空気（冷気）が流入することを規制する。この結果、これら商品載置棚１３に載置された商品を図示せぬヒータ等により良好に加熱することができる。
【０１６５】
この結果、上記ショーケースにおいては、収納室１１におけるリターンダクト部材３３との間の領域を低温度帯域とし、リターンダクト部材３３の下方側領域を高温度帯域とすることができ、各商品載置棚１３に載置された商品を所望の温度に保持することができる。
【０１６６】
以上説明したように、本発明の実施の形態６であるショーケースによれば、リターンダクト部材３３がケース本体１０に装着された場合に、ダクト導入口３３３より循環ファンＦ１により循環させられる空気を導入してダクト流通口３３５より該空気を空気流路２０に吐出させることにより、自身の上方域を循環ファンＦ１により循環させられる空気により所定温度に保持させる一方、自身の下方域に循環ファンＦ１により循環させられる空気が流入することを規制するので、自身の下方側領域を上方側領域よりも高温度帯域として利用することができる。従って、収納室１１を上下に区画する場合に、区画された領域の温度帯を自由に設定することができる。
【０１６７】
以上、本発明の好適な実施の形態１〜６について説明したが、本発明においては、これらに限定されるものではなく、種々の変更を行うことができる。
【０１６８】
上述した実施の形態１〜５では、ショーケースのケース本体１０，４０，７０，１００，１４０は、リターンダクト部材３２，６２，９２，１３０，１７０だけでなく、中間ダクト部材３１，６１，９１，１２０，１６０も装着していたが、本発明においては、中間ダクト部材の装着は任意であり、必ずしも装着されていなくてもよい。
【０１６９】
上述した実施の形態１〜６では、蒸発器ＥＶ１〜ＥＶ５が設けられることにより、循環ファンＦ１〜Ｆ５により循環させられる空気が冷却されていたが、本発明においては、空気循環手段（循環ファン）により循環させられる空気は、冷却手段（蒸発器）により冷却されずに加熱手段により加熱されるものであっても構わない。
【０１７０】
上述した実施の形態２及び３では、ダクト吐出口６２ｃ，９２ｃがリターンダクト部材６２，９２の後端部の下面に形成されていたが、本発明においては次のようにしてもよい。すなわち、ダクト吐出口がリターンダクト部材の後端部の上面に形成されていてもよい。この場合には、リターンダクト部材の後端部を後面部の後面板に当接させることができるとともに、ダクト導入口を通じて導入した空気がリターンダクト部にて滞留してしまうことを抑制することができる。
【符号の説明】
【０１７１】
１０  ケース本体
１０Ａ  底面部
１０Ｂ  後面部
１０Ｃ  天面部
１１  収納室
１２  背面板
１２ａ  第１装着孔
１２ｂ  第２装着孔
１３  商品載置棚
１４  吸込口
１５  吹出口
２０  空気流路
２１  導入流路
２２  導出流路
２３  連絡流路
２３Ａ  中央流路
２３Ｂ  左側流路
２３Ｃ  右側流路
３１  中間ダクト部材
３１ａ  中間ダクト部
３１ｂ  中間吸込口
３１ｃ  中間吹出口
３２  リターンダクト部材
３２ａ  リターンダクト部
３２ｂ  ダクト導入口
３２ｃ  ダクト吐出口
ＥＶ１  蒸発器（冷却手段）
Ｆ１  循環ファン（空気循環手段）
Ｈ１  ヒータ（加熱手段）
【図１】
2019115656.tif 000003
【図２】
2019115656.tif 000004
【図３】
2019115656.tif 000005
【図４】
2019115656.tif 000006
【図５】
2019115656.tif 000007
【図６】
2019115656.tif 000008
【図７】
2019115656.tif 000009
【図８】
2019115656.tif 000010
【図９】
2019115656.tif 000011
【図１０】
2019115656.tif 000012
【図１１】
2019115656.tif 000013
【図１２】
2019115656.tif 000014
【図１３】
2019115656.tif 000015